(57)【要約】【課題】引き出し枠の前板への鏡板の取付を容易にするとともに、鏡板の上下左右方向の位置調整を容易にする引き出し鏡板取付構造を提供することを目的とする。【解決手段】前板（３）の前面に鏡板（２）を複数箇所で螺着固定する引出し鏡板取付構造において、木ねじ（５０）と、ねじ軸部（５１）が挿通可能でねじ頭部（５２）が筒部材（４０）内周縁に係止可能な大きさの内径を有し、且つ、前記前板（３）に設けられた位置調整孔（３１）に隙間を設けて嵌遊可能で鍔部（４２）が位置調整孔（３１）の内周縁に係止可能な大きさの筒部材（４０）とにより、前記前板（３）に前記筒部材（４０）を介して前記木ねじ（５０）にて鏡板（２）を螺着固定するものである。【選択図】図２
2010269061.tif 000002
【特許請求の範囲】
【請求項１】
前板（３）の前面に鏡板（２）を複数箇所で螺着固定する引出し鏡板取付構造において、木ねじ（５０）と、ねじ軸部（５１）が挿通可能でねじ頭部（５２）が筒部材（４０）内周縁に係止可能な大きさの内径を有し、且つ、前記前板（３）に設けられた位置調整孔（３１）に隙間を設けて嵌遊可能で鍔部（４２）が位置調整孔（３１）の内周縁に係止可能な大きさの筒部材（４０）とにより、前記前板（３）に前記筒部材（４０）を介して前記木ねじ（５０）にて鏡板（２）を螺着固定することを特徴とする引出し鏡板取付構造。
【請求項２】
前記前板（３）の位置調整孔（３１）に対応する鏡板（２）の裏面に、前記筒部材（４０）の筒部（４１）の外径に対応する嵌合凹部（２１）を設けたことを特徴とする請求項１に記載の引出し鏡板取付構造。
【請求項３】
前記前板（３）の裏面で前記筒部材（４０）の鍔部（４２）が当接する部分には、前記鍔部（４２）の厚みより深い窪み部（３２）を設け、該木ねじ（５０）と鍔部（４２）を隠蔽する覆い材（６０）を設けることを特徴とする請求項１または２のいずれかに記載の引出し鏡板取付構造。
【発明の詳細な説明】
【技術分野】
【０００１】
本発明は、家具などの引出し枠の前板に位置調整可能に取付けられる引出しの鏡板取付構造に関する。
【背景技術】
【０００２】
家具などの引出しには、引出し枠の前面に、鏡板を固定した構造のものがあり、従来、このような鏡板は位置調整可能に引出し枠の前面に取り付けられる。そして、製造時、厨房家具などの各引出しをキャビネット内に挿入した際、正面からみて各引出しの鏡板が上下左右にずれていたり、傾いていないように、引出し枠に対し鏡板の位置を上下、左右に位置調整し、鏡板を固定するようにしている。
このような鏡板の位置調整には、従来から多くの提案がなされ、例えば、特許文献１には、鏡板の後面に雌ねじ部を有する突起部を設け、該突起部にスペーサを嵌合させて、裏面カバーの後板のボルト孔からボルトを挿入して、鏡板後面の雌ねじ部と螺合させた引出し装置が開示されている。
【０００３】
また、引出しの鏡板を調整具を用いて位置調整するものとしては、特許文献２などもあり、引き出しの前枠に設けた孔に嵌着され、前枠の前面に取り付けた前板の位置を調整する引き出し前板調整具であって、円板部に円筒軸部が突設され、円筒軸部の外周の一部に歯部を設けてなる本体、本体の円筒軸部の外周に上下方向に移動可能に嵌挿され、円筒軸部の歯部と噛合する歯部を側壁内面に設けてなる長円筒部材、及び長円筒部材の外周に左右方向に移動可能に嵌挿され、前枠の孔に嵌着可能な円筒部材を備え、本体及び長円筒部材を組み付けた円筒部材の外周部を前記前枠の孔に嵌入した状態で、円筒軸部内に挿通させた前板に１本の木ねじで前板と固着して、円筒軸部を移動させることにより、前板位置を調整する引き出し前板調整具が紹介されている。
【先行技術文献】
【特許文献】
【０００４】
【特許文献１】特開２００５−２１８７１５号公報
【特許文献２】特開２０００−１５７３６０号公報
【発明の概要】
【発明が解決しようとする課題】
【０００５】
しかしながら、特許文献１にあっては、鏡板と裏面カバーである後板との間に空間がある場合の鏡板取付であり、スペーサをガイドとして、裏カバーの後板にボルトを通すことができるため、組立作業性を向上させることが出来るが、裏面に空間がなく所定厚みの裏面カバー（前板）の場合にはこの先行技術は採用できない。
また、特許文献２では、前板に取付けた後の、前板の傾斜や上下位置のずれを修正するには本体の円板部を回すだけの簡単な操作でできるも、当初の前板組み付けの作業は考慮されておらず、組み付け位置を誤ると調整代が小さく対応しきれない課題があった。
【０００６】
本発明は、このような問題点に着目してなされたもので、引出し枠の前板への鏡板の上下左右方向の位置調整機能を維持しつつ、更に、製造組立時の引出し前板取付が容易な引出し鏡板取付構造を提供することを目的とする。
【課題を解決するための手段】
【０００７】
前記課題を解決するために、請求項１に記載の発明は、前板の前面に鏡板を複数箇所で螺着固定する引出し鏡板取付構造において、木ねじと、ねじ軸部が挿通可能でねじ頭部が筒部材内周縁に係止可能な大きさの内径を有し、且つ、前記前板に設けられた位置調整孔に隙間を設けて嵌遊可能で鍔部が位置調整孔の内周縁に係止可能な大きさの筒部材とにより、前記前板に前記筒部材を介して前記木ねじにて鏡板を螺着固定することを特徴としている。
この発明によれば、位置調整孔と筒部材との間に隙間があるため、木ねじを緩めて前板に対する鏡板の上下左右の位置調整を行なうことができる。
【０００８】
また、請求項２に記載の発明は、前記請求項１に記載の発明を技術的前提として、前板の位置調整孔に対応する鏡板の裏面に、前記筒部材の筒部の外径に対応する嵌合凹部を設けたことを特徴とするものである。
この発明によれば、請求項１に記載の効果に加え、製造時に鏡板を前板に螺着するに際し、前板の位置調整孔に筒部材を相通して、該筒部材の端部を嵌合凹部に嵌め込んだ後に木ねじを螺着できるため、大まかな鏡板への位置合わせが容易となり、引出し組立が短時間で確実にできる。
【０００９】
また、請求項３に記載の発明は、前記請求項１及び/または２に記載の発明を技術的前提とし、前板の裏面で前記筒部材の鍔部が当接する部分には、前記鍔部の厚みより深い窪み部を設け、該木ねじと鍔部を隠蔽する覆い材を設けることを特徴とするものである。
この発明によれば、請求項１及び／または請求項２の発明の効果に加え、引出し前板裏面の見栄えを向上させるとともに、引出し内への物品の出し入れに際し、ねじ頭部などに物品が引っ掛かる支障を防止することができる。
【図面の簡単な説明】
【００１０】
【図１】本発明の引出し部品構成を示す斜視図である。
【図２】実施例１の前板への鏡板取付構造を示す拡大要部縦断面図である。
【図３】実施例２の前板への鏡板取付構造を示す拡大要部縦断面図である。
【発明を実施するための形態】
【００１１】
本発明に係る引出し鏡板取付構造の実施形態を実施例に基づいて以下に説明する。
【実施例１】
【００１２】
実施例１に係る引出し鏡板取付構造につき、図１及び図２を参照して説明する。尚、実施例では、図１における紙面左下方側を引出し１の前面側（正面側）とし、紙面右上方側を引出し１の裏面側（後面側）として説明する。
【００１３】
１の符号は、本発明の適用された引出しである。この引出し１は、図１に示すように、前板３と背板５と両側板４からなる引出し枠に底板６を設けた箱体の前面に鏡板２を配置して構成される。この引出し１はキャビネットに複数装着されてキッチンなどの厨房家具を構成する。
この場合に、上下又は左右に配置される引出し１の前面は、引出し１の出し入れのために隙間が必要であり、キャビネット製作精度により引出し１が若干傾いたり、ズレたりしており、家具本体の見栄えを調えるために、その傾きやズレを鏡板２の前板３への取付位置で調整し、引出し間の隙間を均一にすることが行なわれる。符号７は、引出し１を出し入れする際の手掛かり部となる取手である。
【００１４】
実施例１の引出し鏡板取付構造は、前板３の上下左右近傍に位置調整孔３１を複数箇所に設け、該位置調整孔３１に筒部材４０を嵌遊状態で挿入し、筒部材４０に木ねじ５０を挿入して、鏡板裏面に螺着することにより、鏡板２を引出し前板３に固定する構造である。
この場合に、筒部材４０の内径はねじ軸部５１の外径よりも僅かに大きく、筒部材４０に木ねじ５０を挿通できるように構成され、ねじ頭部５２の外径は筒部材４０の内径よりも大きく、木ねじ５０のねじ込みに際しては、筒部材４０の鍔部４２にねじ頭部が係止した状態で螺着される。
また、位置調整孔３１と筒部材４０の関係は、筒部材４０の鍔部４２の外径が位置調整孔３１の径よりも大きく、木ねじ５０のねじ込みに際しては、鍔部４２は位置調整孔３１の周縁に係止した状態で前板３を該鍔部４２と鏡板２で狭持するように取付られる。
【００１５】
そして、筒部材４０の筒部４１は、前板３の位置調整孔３１に隙間を形成して挿入されるため、その隙間が鏡板２の位置調整代となり、複数箇所に設けられた位置調整孔３１で夫々隙間を調整することにより、前板３に対する鏡板２の上下左右の位置調整をすることができる。この場合に前板３への位置調整孔３１は少なくとも２箇所は必要であり、それ以上は前板３と鏡板２の必要結合強度などに応じて増やすことができる。
【００１６】
また、前板３の位置調整孔３１に対応する鏡板２の裏面には、筒部材４０の筒部４１に対応する位置に嵌合凹部２１を設けることが好ましい。嵌合凹部２１の形状は筒部材４０の筒部４１先端の形状が嵌合可能な形状であり、深さは特に規定しないが鏡板２の厚みよりも浅く形成され、一方、筒部材４０の筒部４１の長さは前板３の厚みよりも若干長く、前板３の裏面から筒部４１の先端が鏡板２の嵌合凹部２１に嵌合後は鏡板２と一体となって、鏡板は位置調整孔３１の隙間の範囲内で移動可能に構成される。
【００１７】
このように、鏡板裏面に筒部材４０の筒部４１先端が嵌合可能な嵌合凹部２１を前板３の位置調整孔３１に対応して設けることにより、引出し前板３への鏡板取付に際しては、嵌合凹部２１に前板裏面から筒部材４０を挿入して鏡板２に位置合わせすることができるため、引出し前板３への鏡板組み付け作業が容易となるとともに、前板３の位置調整孔３１内での鏡板２の左右上下調整が鏡板２と筒部材４０が一体移動するため、位置調整し易い。
【００１８】
次に、引出し前板３への鏡板２の取付方法について説明する。前板３への鏡板取付は、引出し１の前板３を下方にして、引出し前板３の前面側（下方）に鏡板２を配置し、前板３裏面から筒部材４０を位置調整孔３１に挿入して、筒部材４０の筒部４１先端を鏡板裏面の嵌合凹部２１に位置合わせしながら挿入嵌合させる。そして、引出し内側である前板裏面側から、先に挿入嵌合させた筒部材４０に木ねじ５０を挿通させて鏡板裏面に螺着させる。位置調整孔３１の４箇所に木ねじ５０を螺着した後に、図示しない厨房家具に引出し１を装着配置し鏡板２にズレがある場合は、木ねじ５０を一旦緩めて鏡板２を左右上下の位置調整を行なった後に、再度木ねじ５０を締めて鏡板２を引出し前板３に固定することにより引出し１の家具への取り付けを終えることができる。
【００１９】
次いで、実施例２に係る引出し鏡板取付構造につき、図３を参照して説明する。尚、前記実施例１と同一構成で重複する構成については省略する。図３に示すように、実施例２は、位置調整孔３１の前板裏面に窪み部３２を設けるとともに、該窪み部３２にねじ頭部５２と筒部材４０の鍔部４２を隠蔽する覆い材６０を加えたものである。窪み部３２は前板３の裏面で筒部材４０の鍔部４２が当接する部分の前板裏面に鍔部４２の厚みより深い凹みを設け、筒部材４０に挿通された木ねじ５０のねじ頭部５２とともに、その凹み内に収納して覆い材６０にてそれらを覆い隠すものである。覆い材６０は硬質樹脂製で窪み部３２に嵌合できる窪み部形状と略同一外周形状のキャップ体であり、覆い材６０の弾性力で窪み部３２に嵌り込み固定される。この覆い材６０により窪み部３２内部の木ねじ５０や筒部材４０を覆い隠すことができるため見栄えを良くするとともに、引出し内の物品の出し入れに際し、ねじ頭部５２等が物品に引っ掛かる支障を防止することができる。
【００２０】
以上、本発明の実施例を図面により説明してきたが、具体的な構成はこれら実施例に限られるものではなく、本発明の要旨を逸脱しない範囲における変更や追加があっても本発明に含まれる。
【００２１】
例えば、実施例では木ねじ５０の形状を筒部材４０の鍔部４２から突き出るねじ頭部５２を有する木ねじ５０で説明したが、鍔部４２面と略同一となるように皿形状のねじ頭部５２の木ねじ５０を用いても良い。
【符号の説明】
【００２２】
１  引出し
２  鏡板
２１  嵌合凹部
３  前板
３１  位置調整孔
３２  窪み部
４  側板
５  背板
６  底板
７  取手
４０  筒部材
４１  筒部
４２  鍔部
５０  木ねじ
５１  ねじ軸部
５２  ねじ頭部
６０  覆い材
【図１】
2010269061.tif 000003
【図２】
2010269061.tif 000004
【図３】
2010269061.tif 000005